(57)【要約】【課題】製作コストを抑えることができる天板付什器を提供する。【解決手段】天板付什器は、板状の天板と、天板を支持する天板支持体と、を備える。天板支持体は、天板の下面に沿って設けられた平面視多角形状のフレーム２０と、天板支持体の設置面から上方に延びる支持脚４０と、フレーム２０の角部２０ｃと支持脚４０との間を接続するとともに、角部２０ｃに対する支持脚４０の位置を、天板の下面に沿った面内で変更可能とする接続位置変更機構６０と、を備える。【選択図】図６
2020068889.tif 000002
【特許請求の範囲】
【請求項１】
天板と、
前記天板を支持する天板支持体と、を備え、
前記天板支持体は、
前記天板の下面に沿って設けられた平面視多角形状のフレームと、
設置面から上方に延びる支持脚と、
前記フレームの角部と前記支持脚との間を接続するとともに、前記角部に対する前記支持脚の位置を、前記天板の下面に沿った面内で変更可能とする接続位置変更機構と、
を備える天板付什器。
【請求項２】
前記接続位置変更機構は、前記角部に対し、前記天板の下面に直交する軸周りに前記支持脚を回動可能とする
請求項１に記載の天板付什器。
【請求項３】
前記接続位置変更機構は、
前記支持脚の上端部に接続されたブラケットと、
前記角部に設けられ、前記ブラケットを前記軸周りに回動可能に支持する軸支持部と、
前記軸支支持部周りの周方向の複数個所で前記角部と前記ブラケットとを選択的に固定する固定部と、
を備える
請求項２に記載の天板付什器。
【請求項４】
前記ブラケットを、前記天板に下方から締結するブラケット締結部材をさらに備える
請求項３に記載の天板付什器。
【請求項５】
前記ブラケットは、
前記天板の下面に沿って設けられる板状のベース部と、
前記ベース部から下方に突出する突出部と、
前記突出部の下端で開口し、前記支持脚の前記上端部が挿入される支持脚挿入凹部と、を備える
請求項３または４に記載の天板付什器。
【請求項６】
前記フレームは、
前記天板の下面に沿って延びる第一の杆体と、
前記天板の下面に沿って前記第一の杆体が延びる方向と交差する方向に延びる第二の杆体と、
前記第一の杆体と前記第二の杆体とを接続して、前記フレームの角部を構成するジョイント部材と、を備える
請求項１から５のいずれか一項に記載の天板付什器。
【発明の詳細な説明】
【技術分野】
【０００１】
本発明は、天板付什器に関する。
【背景技術】
【０００２】
テーブル、デスク等の天板付什器は、支持体と、天板と、を備える。支持体は、床等の設置面上に設置される。天板は、支持体上に設けられる。
このような天板付什器において、支持体が、設置面に沿った方向に間隔をあけて設けられた複数本の支持脚を有する場合、天板の下面に、枠状のフレームを設けることがある。複数本の支持脚の上端部を、フレームに接続することで、支持体の強度を高めることができると考えられる。
【０００３】
例えば、特許文献１には、天板の下面に設けられた矩形状のフレームと、フレームの四隅に上端部が接続された支持脚と、を備える構成が開示されている。矩形状のフレームは、天板の長手方向に延びる一対の縦フレーム部材と、天板の短手方向に延びて一対の縦フレーム同士を接続する横フレーム部材と、を備えている。
【先行技術文献】
【特許文献】
【０００４】
【特許文献１】特開２０１８−６８８５４号公報
【発明の概要】
【発明が解決しようとする課題】
【０００５】
ところで、上記のように複数本の支持脚を有する天板付什器においては、天板の支持強度や安定性を高めるため、支持脚は、なるべく天板の外周部に近い位置に配置するのが好ましい。
このため、様々なサイズ（水平面内における外形寸法）の天板を用いて複数種の天板付什器を製作する場合、天板の水平方向のサイズに応じて、支持脚がなるべく天板の外周部近くに位置するよう、支持脚の位置を異ならせる必要がある。従来の天板付什器にあっては、支持脚の位置（天板のサイズ）に応じて異なるサイズのフレームを用意する必要がある。その結果、天板付什器の製作コストが上昇してしまう。
本発明は、様々なサイズの天板を備えた天板付什器を製作するに際し、製作コストを抑えることができる天板付什器を提供することを目的とする。
【課題を解決するための手段】
【０００６】
上記目的を達成するために、本発明の一態様に係る天板付什器は、天板と、前記天板を支持する天板支持体と、を備え、前記天板支持体は、前記天板の下面に沿って設けられた平面視多角形状のフレームと、設置面から上方に延びる支持脚と、前記フレームの角部と前記支持脚との間を接続するとともに、前記角部に対する前記支持脚の位置を、前記天板の下面に沿った面内で変更可能とする接続位置変更機構と、を備える。
【０００７】
この構成によれば、角部に対する支持脚の位置が、接続位置変更機構によって天板の下面に沿った面内で変更可能である。これにより、フレームのサイズを変更することなく、天板の水平方向のサイズ等に応じて、支持脚の位置を変更することができる。したがって、フレームの種類が増えるのを抑えつつ、例えば天板の外周部に支持脚を有する様々なサイズの天板を備えた天板付什器を製作することができる。その結果、天板付什器の製作コストを抑えることが可能となる。
【０００８】
本発明の一態様に係る天板付什器において、前記接続位置変更機構は、前記角部に対し、前記天板の下面に直交する軸周りに前記支持脚を回動可能とするようにしてもよい。
この構成によれば、フレームの角部に対して支持脚を軸周りに回動させることで、角部に対する支持脚の位置を、天板の下面に沿った面内で容易に変更することができる。
【０００９】
本発明の一態様に係る天板付什器において、前記接続位置変更機構は、前記支持脚の上端部に接続されたブラケットと、前記角部に設けられ、前記ブラケットを前記軸周りに回動可能に支持する軸支持部と、前記軸支支持部周りの周方向の複数個所で前記角部と前記ブラケットとを選択的に固定する固定部と、を備えるようにしてもよい。
この構成によれば、軸支持部により、ブラケットを軸周りに回転させることで、ブラケットに接続される支持脚の位置を、天板の下面に沿った面内で変更することができる。固定部は、ブラケットの軸支持部周りの位置を、周方向の複数個所に選択的に固定するので、ブラケットの周方向の位置を、容易かつ確実に位置決めして固定することができる。
【００１０】
本発明の一態様に係る天板付什器において、前記ブラケットを、前記天板に下方から締結するブラケット締結部材をさらに備えるようにしてもよい。
この構成によれば、フレームの角部に対して軸周りに回動可能なブラケットを、天板に固定することで、ブラケットを強固に固定することができる。これにより、フレームの角部とブラケットとの連結強度を抑えることができ、フレームの角部とブラケットとの連結構造を簡易なものとすることができる。
【００１１】
本発明の一態様に係る天板付什器において、前記ブラケットは、前記天板の下面に沿って設けられる板状のベース部と、前記ベース部から下方に突出する突出部と、前記突出部に形成され、前記突出部の下端から上方に向かって窪み、前記支持脚の前記上端部が挿入される支持脚挿入凹部と、を備えるようにしてもよい。
この構成によれば、天板の下面に固定されるベース部に、支持脚の上端部が挿入される支持脚挿入凹部を有した突出部が設けられているので、天板の下面には、支持脚の上端部を挿入するための穴等を形成する必要がない。これにより、天板の加工に手間が掛かるのを抑えることができる。これによっても、天板付什器の製作コストを抑えることができる。
【００１２】
本発明の一態様に係る天板付什器において、前記フレームは、前記天板の下面に沿って延びる第一の杆体と、前記天板の下面に沿って前記第一の杆体が延びる方向と交差する方向に延びる第二の杆体と、前記第一の杆体と前記第二の杆体とを接続して、前記フレームの角部を構成するジョイント部材と、を備えるようにしてもよい。
この構成によれば、第一の杆体と第二の杆体の長さをそれぞれ変更するのみで、様々なサイズのフレームを製作することができる。このようなフレームの角部のジョイント部材に接続位置変更機構を設けることで、フレームへの加工を最小限とすることができるとともに、支持脚の位置を様々に変更することができる。これにより、天板のサイズや形状に応じて、支持脚を最適な位置に配置することができる。
【発明の効果】
【００１３】
本発明の一態様によれば、天板付什器の製作コストを抑えることが可能となる。
【図面の簡単な説明】
【００１４】
【図１】本発明の実施形態に係る天板付什器の全体構成を示す正面である。
【図２】上記天板付什器の天板支持体を示す斜視図である。
【図３】上記天板支持体に設けられたジョイント部材を示す斜視図である。
【図４】上記天板支持体に設けられたブラケットを斜め上方から見た斜視図である。
【図５】上記ブラケットを斜め下方から見た斜視図である。
【図６】上記ブラケットが設けられたフレームの角部を示す平面図である。
【図７】上記ブラケットが設けられたフレームの角部を示す側断面図であり、図６のＡ−Ａ矢視に相当する断面図である。
【図８】上記ブラケットが設けられたフレームの角部を示す断面図であり、図６のＢ−Ｂ矢視に相当する断面図である。
【図９】上記天板支持体に設けられた支持脚を示す斜視図である。
【図１０】上記天板付什器の平面図である。
【図１１】上記ブラケットを中心軸周りの一方の側に回転させた状態を示す図６に対応する平面図である。
【図１２】上記ブラケットを中心軸周りの他方の側に回転させた状態を示す図６に対応する平面図である。
【図１３】支持脚の位置と、天板のサイズの一例を示す図１０に対応する平面図である。
【図１４】支持脚の位置と、天板のサイズの一例を示す図１０に対応する平面図である。
【図１５】上記ブラケットのフレームに対する接続構造の変形例を示す図であり、図８に対応する断面図である。
【図１６】上記天板支持体に設けられた接続位置変更機構の変形例を示す天板支持体の拡大平面図である。
【図１７】上記天板支持体に設けられた他の接続位置変更機構の変形例を示す天板支持体の拡大平面図である。
【図１８】上記天板支持体に設けられたさらに他の接続位置変更機構の変形例を示す天板支持体の拡大平面図である。
【発明を実施するための形態】
【００１５】
以下、添付図面を参照して、本発明による天板付什器を実施するための形態を説明する。しかし、本発明はこの実施形態のみに限定されるものではない。
【００１６】
図１は、本発明の実施形態に係る天板付什器１の全体構成を示す正面である。
図１に示すように、天板付什器１は、天板２と、天板支持体３と、を備える。この天板付什器１は、例えば、テーブル、デスク等として用いられる。天板２は、板状で、その上面２ａに物品が載置可能である。本実施形態において、天板２は、平面視長方形状である。なお、以下の説明では、天板２の上面２ａに沿う面内方向（水平方向）のうち、天板２の長手方向を単に長手方向Ｄ１といい、天板２の短手方向を単に短手方向Ｄ２という。天板２の平面形状は、長方形状に限らず、円形、長円形、楕円形、多角形状等であってもよい。
また、天板２の材質は、金属材、木材、樹脂材等、いかなるものであってもよい。
【００１７】
図２は、上記天板付什器１の天板支持体３を示す斜視図である。
天板支持体３は、天板２の下方に設けられ、天板２を支持する。図１、図２に示すように、天板支持体３は、フレーム２０と、ブラケット３０と、支持脚４０と、を備える。
【００１８】
フレーム２０は、天板２の下面２ｂに沿って設けられている。フレーム２０は、平面視多角形状である。本実施形態において、フレーム２０は、平面視長方形状の天板２に対応して、天板２の平面視外形よりも小さい平面視長方形状とされている。フレーム２０は、一対の第一の杆体２１と、一対の第二の杆体２２と、ジョイント部材２３と、を備える。
【００１９】
一対の第一の杆体２１は、フレーム２０の短手方向Ｄ２の両側部を構成している。一対の第一の杆体２１は、それぞれ、天板２の下面２ｂに沿って、長手方向Ｄ１に延びている。
【００２０】
一対の第二の杆体２２は、フレーム２０の長手方向Ｄ１の両側部を構成している。一対の第二の杆体２２は、それぞれ、天板２の下面２ｂに沿って、第一の杆体２１が延びる方向と交差（直交）する、短手方向Ｄ２に延びている。
これら第一の杆体２１、第二の杆体２２は、金属製の角管から形成されている。
【００２１】
ジョイント部材２３は、フレーム２０の角部２０ｃを構成している。ジョイント部材２３は、第一の杆体２１の端部と、第二の杆体２２の端部とを接続する。
【００２２】
図３は、上記天板支持体３に設けられたジョイント部材２３を示す斜視図である。
図３に示すように、ジョイント部材２３は、ジョイント部材本体２４と、一対の杆体接続部２５と、を備えている。
【００２３】
ジョイント部材本体２４は、略直方体状のブロック状をなしている。ジョイント部材本体２４は、平面視すると、その四方に側面２４ａ，２４ｂ，２４ｃ，２４ｄを有している。側面２４ａ，２４ｂ，２４ｃ，２４ｄは、互いに直交して形成されている。二つの側面２４ｃ，２４ｄの間には、後述する軸支ボス２７の中心軸（軸）Ｃ１を中心として、天板付什器１の外側に向けて凸の円弧状をなす円弧状側面２４ｅが形成されている。また、ジョイント部材本体２４の底面２４ｆは、水平面内に位置するよう形成されている。
【００２４】
一対の杆体接続部２５は、ジョイント部材本体２４において互いに隣り合う二つの側面２４ａ，２４ｂから直交する方向に各別に突出している。すなわち、一対の杆体接続部２５のうち、第一の杆体接続部２５は、側面２４ｂから長手方向Ｄ１に沿って突出している。一対の杆体接続部２５のうち、第二の杆体接続部２５は、側面２４ａから短手方向Ｄ２に沿って突出している。これにより、一対の杆体接続部２５は、側面２４ａ，２４ｂから水平面内で互いに直交する二方向に突出している。各杆体接続部２５は、その突出方向に直交する断面形状がそれぞれ矩形である。例えば、第一の杆体接続部２５は、第一の杆体２１の端部に挿入されている。第二の杆体接続部２５は、第二の杆体２２の端部に挿入されている。第一の杆体２１、第二の杆体２２の端部と、各杆体接続部２５とは、図示しないボルト、溶接等で接続されている。
【００２５】
ジョイント部材本体２４の側面２４ａ，２４ｂは、各杆体接続部２５の突出方向から見て、杆体接続部２５の外側に拡径して形成されている。これにより、各杆体接続部２５に挿入される第一の杆体２１及び第二の杆体２２は、ジョイント部材本体２４の対応する側面２４ａ，２４ｂにそれぞれ突き当たっている。
【００２６】
ジョイント部材本体２４には、ブラケット３０を受ける受け面２６が形成されている。受け面２６は、ジョイント部材本体２４の上端２４ｔよりも下方に窪むように形成されている。受け面２６は、水平面内に位置し、上方を向いている。受け面２６は、側面２４ｃ，２４ｄ側に向かって開放されている。換言すると、受け面２６は、フレーム２０の角部２０ｃにおいて、水平方向における天板付什器１の外側に向かって開放して形成されている。
【００２７】
受け面２６の略中央部には、軸支ボス（軸支持部）２７が設けられている。軸支ボス２７は、受け面２６から上方に向かって突出する円柱状をなしている。軸支ボス２７の上端２７ｔは、ジョイント部材本体２４の上端２４ｔよりも低い位置に形成されている。
【００２８】
また、受け面２６に対し、側面２４ａ，２４ｂ側（天板付什器１の内側）には、立ち上がり壁部２４ｗが設けられている。立ち上がり壁部２４ｗは、受け面２６から上方に立ち上がるよう形成されている。立ち上がり壁部２４ｗは、軸支ボス２７の中心軸Ｃ１周りの周方向に連続している。立ち上がり壁部２４ｗには、軸支ボス２７側に、軸支ボス２７を中心として円弧状をなす内壁面２４ｖが形成されている。
【００２９】
受け面２６には、位置決め突起（固定部）２８が設けられている。位置決め突起２８は、受け面２６のうち、立ち上がり壁部２４ｗにおける中心軸Ｃ１回りの周方向中間部と、軸支ボス２７との間に設けられている。位置決め突起２８は、受け面２６から直交して上方に突出している。
【００３０】
受け面２６には、軸支ボス２７を挟んだ両側に、一対の固定ピン孔２９が形成されている。一対の固定ピン孔２９は、軸支ボス２７の中心軸Ｃ１と、位置決め突起２８の中心とを結ぶ仮想線Ｌ１を挟んだ両側に、仮想線Ｌ１に対して線対称となる位置に設けられている。
【００３１】
図４は、上記天板支持体３に設けられたブラケット３０を斜め上方から見た斜視図である。図５は、上記ブラケット３０を斜め下方から見た斜視図である。図６は、上記ブラケット３０が設けられたフレーム２０の角部２０ｃを示す平面図である。図７は、上記ブラケット３０が設けられたフレーム２０の角部２０ｃを示す側断面図であり、図６のＡ−Ａ矢視に相当する断面図である。図８は、上記ブラケット３０が設けられたフレーム２０の角部２０ｃを示す断面図であり、図６のＢ−Ｂ矢視に相当する断面図である。
図４〜図８に示すように、ブラケット３０は、フレーム２０の複数の角部２０ｃのそれぞれに設けられている。図４、図５に示すように、ブラケット３０は、ベース部３１と、突出部３２と、支持脚挿入凹部３３と、を有している。
【００３２】
ベース部３１は、板厚方向を上下方向とする板状をなしている。ベース部３１は、上方を向く第一面３１ｓを天板２の下面２ｂに対向させた状態で、天板２の下面２ｂに固定される。具体的に、ベース部３１には、複数のボルト挿通孔３１ｈが形成されている。各ボルト挿通孔３１ｈは、ベース部３１を板厚方向（上下方向）に貫通して形成されている。図７に示すように、ベース部３１は、複数のブラケット締結ボルト（ブラケット締結部材）６１によって、天板２の下面２ｂに固定される。各ブラケット締結ボルト６１は、各ボルト挿通孔３１ｈを通して、天板２に締結される。
【００３３】
図４〜図６に示すように、ベース部３１は、平面視で略五角形状をなし、一対の側辺部３１ａと、一対の斜辺部３１ｂと、内側辺部３１ｃと、を有している。
一対の側辺部３１ａは、互いに平行に延びている。
一対の斜辺部３１ｂは、一対の側辺部３１ａの一方の端部から、傾斜して延びている。一対の斜辺部３１ｂは、一対の側辺部３１ａから離間するにしたがって、互いに接近している。一対の斜辺部３１ｂは、ベース部３１の外側端部３１ｑにおいて互いに連結されている。
【００３４】
内側辺部３１ｃは、ベース部３１の内側端部３１ｐに形成されている。内側辺部３１ｃは、一対の側辺部３１ａの他方の端部同士を連結する。内側辺部３１ｃの中央部には、外側端部３１ｑから離間する方向に突出する凸辺部３１ｅが形成されている。内側辺部３１ｃの凸辺部３１ｅの両側には、凸辺部３１ｅに対して外側端部３１ｑ側に窪む凹辺部３１ｆが形成されている。
【００３５】
図６に示すように、ブラケット３０は、ベース部３１の内側端部３１ｐを、フレーム２０の角部２０ｃ側に向け、外側端部３１ｑを角部２０ｃから天板付什器１の外側に向かって離間する方向に向けて配置される。
【００３６】
図５、図７に示すように、突出部３２は、ベース部３１と一体に形成されている。突出部３２は、ベース部３１を天板２の下面２ｂに固定した状態で、ベース部３１から下方に突出するよう形成されている。図５に示すように、突出部３２は、下方から見て、ベース部３１の外側端部３１ｑと内側端部３１ｐとを結ぶ方向（以下、内外方向Ｄ３という。）に延びて形成されている。突出部３２は、その外周部に、一対の側面部３２ａと、内側凹湾曲面３２ｂと、外側凸湾曲面３２ｃと、を有している。これら一対の側面部３２ａ、内側凹湾曲面３２ｂ及び外側凸湾曲面３２ｃは、それぞれ、ベース部３１の第二面３１ｔ（下面）に対して直交して延びている。これら一対の側面部３２ａ、内側凹湾曲面３２ｂ及び外側凸湾曲面３２ｃは、それぞれ、突出部３２から見て水平方向外側を向いている。
【００３７】
一対の側面部３２ａは、第二面３１ｔ上で間隔をあけて互いに平行に形成されている。一対の側面部３２ａは、それぞれ内外方向Ｄ３に延びている。
【００３８】
内側凹湾曲面３２ｂは、突出部３２において、ベース部３１の内側端部３１ｐ側に形成されている。内側凹湾曲面３２ｂは、一対の側面部３２ａの一方の端部（内外方向Ｄ３における内側端部）同士を連結するよう形成されている。内側凹湾曲面３２ｂは、下方から見て外側端部３１ｑ側に円弧状に窪むように湾曲している。
【００３９】
外側凸湾曲面３２ｃは、突出部３２において、ベース部３１の外側端部３１ｑ側に形成されている。外側凸湾曲面３２ｃは、一対の側面部３２ａの他方の端部（内外方向Ｄ３における外側端部）同士を連結するよう形成されている。外側凸湾曲面３２ｃは、下方から見て外側端部３１ｑ側に円弧状に突出して湾曲している。図６、図７に示すように、ブラケット３０は、突出部３２の内側凹湾曲面３２ｂを、ジョイント部材本体２４の円弧状側面２４ｅに対向させて配置される。すなわち、突出部３２は、内側凹湾曲面３２ｂをフレーム２０の角部２０ｃ側に向け、外側凸湾曲面３２ｃを角部２０ｃから天板付什器１の外側に向かって離間する方向に向けて配置される。
【００４０】
図５、図７に示すように、突出部３２の下端面３４は、上下方向に直交する平面状で、ベース部３１を天板２の下面２ｂに固定した状態で、下面２ｂと平行に、つまり水平面内に位置している。
【００４１】
支持脚挿入凹部３３は、突出部３２の下端面３４から上方に向かって窪んで形成されている。支持脚挿入凹部３３の内面は、一対の側部壁面３３ａと、内側壁面３３ｂと、外側壁面３３ｃと、を有する。これら一対の側部壁面３３ａ、内側壁面３３ｂ及び外側壁面３３ｃは、それぞれ、ベース部３１の第二面３１ｔに直交して形成されている。
【００４２】
一対の側部壁面３３ａは、一対の側面部３２ａと平行に設けられている。
内側壁面３３ｂは、一対の側部壁面３３ａの一方の端部（内外方向Ｄ３における内側端部）同士を連結するよう形成されている。
外側壁面３３ｃは、一対の側部壁面３３ａの他方の端部（内外方向Ｄ３における外側端部）同士を連結するよう形成されている。外側壁面３３ｃは、下方から見て、外側凸湾曲面３２ｃと同心状に湾曲して形成されている。
【００４３】
上方に向かって窪む支持脚挿入凹部３３において、一対の側部壁面３３ａ、内側壁面３３ｂ、外側壁面３３ｃに囲まれる空間は、頂面３３ｅによって塞がれている。
【００４４】
支持脚挿入凹部３３の頂面３３ｅには、複数個所に、第一ボルト挿通孔３５が開口している。第一ボルト挿通孔３５は、ベース部３１を上下方向に貫通している。図７に示すように、第一ボルト挿通孔３５には、後述する第一支持脚締結ボルト６２が挿通される。第一ボルト挿通孔３５において、ベース部３１の第一面３１ｓ側には、第一支持脚締結ボルト６２の頭部が収容されるザグリ部３５ａが形成されている。
【００４５】
また、図５〜図７に示すように、突出部３２には、内側凹湾曲面３２ｂと支持脚挿入凹部３３の内側壁面３３ｂとの間を貫通する第二ボルト挿通孔３６が形成されている。第二ボルト挿通孔３６は、内側凹湾曲面３２ｂと、支持脚挿入凹部３３の内側壁面３３ｂとを、内外方向Ｄ３に貫通している。第二ボルト挿通孔３６は、内側壁面３３ｂに直交して延びている。また、内側凹湾曲面３２ｂには、第二ボルト挿通孔３６の周囲に、内外方向Ｄ３に直交する平面部３６ｆが形成されている。第二ボルト挿通孔３６には、後述する第二支持脚締結ボルト６３が挿通される。平面部３６ｆには、第二支持脚締結ボルト６３の頭部の座面が突き当たる。
【００４６】
また、図４〜図６に示すように、ブラケット３０のベース部３１の内側端部３１ｐには、軸支穴３７と、ガイド孔（固定部）３８と、位置決め凹部（固定部）３９（図５参照）と、が形成されている。
【００４７】
軸支穴３７は、ベース部３１の凸辺部３１ｅと、突出部３２の内側凹湾曲面３２ｂとの間に配置されている。軸支穴３７は、ベース部３１の第二面３１ｔから第一面３１ｓ側に窪んで形成されている。図７、図８に示すように、軸支穴３７には、ジョイント部材２３に設けられた軸支ボス２７が挿入される。ブラケット３０は、軸支穴３７内に挿入された軸支ボス２７の中心軸Ｃ１周りに、水平面内で回動可能とされる。すなわち、ブラケット３０は、フレーム２０の角部２０ｃに対し、天板２の下面２ｂに直交する方向（上下方向）に延びる軸支ボス２７の中心軸Ｃ１周りに回動可能に設けられている。
【００４８】
ガイド孔３８は、軸支穴３７を挟んだ両側にそれぞれ設けられている。ガイド孔３８は、軸支穴３７の径方向外側で、軸支穴３７と同心状の円弧状に連続して形成されている。ガイド孔３８は、軸支穴３７を中心とした周方向に、３つのピン挿通空間３８ｓが並んで形成されている。ピン挿通空間３８ｓには、それぞれ位置決めピン（固定部）６４が挿入可能である。位置決めピン６４は、ピン挿通空間３８ｓを通して、ジョイント部材２３の受け面２６に形成された固定ピン孔２９（図３参照）に挿入される。このようにして、固定ピン孔２９に挿入される位置決めピン６４に、複数のピン挿通空間３８ｓを選択的に挿入することで、中心軸Ｃ１周りのブラケット３０の向き（長手方向Ｄ１及び短手方向Ｄ２に対する内外方向Ｄ３の向き）が位置決めされる。
【００４９】
図５に示すように、位置決め凹部３９は、軸支穴３７に対し、ベース部３１の内側端部３１ｐ側に設けられている。位置決め凹部３９は、軸支穴３７周りの周方向に間隔をあけて複数、例えば３個設けられている。図７に示すように、複数の位置決め凹部３９には、ベース部３１に設けられた位置決め突起２８が選択的に挿入される。これにより、軸支穴３７に挿入される軸支ボス２７周りにおけるブラケット３０の向きが位置決めされる。
【００５０】
このようにして、ブラケット３０は、軸支穴３７に軸支ボス２７を挿入した状態で、天板２の下面２ｂに固定されることによって、ジョイント部材２３に連結されている。
また、ブラケット３０は、ガイド孔３８と位置決めピン６４、軸支穴３７と位置決め突起２８を係合させることで、中心軸Ｃ１周りの周方向の複数個所に選択的に位置決めされて固定されている。
【００５１】
図１、図２に示すように、支持脚４０は、例えば、木製で、フレーム２０の四隅にそれぞれ配置されている。図７に示すように、各支持脚４０は、その上端部４０ａがブラケット３０に接続されている。支持脚４０は、上端部４０ａから下端部４０ｂに向かって下方に延びて構成されている。支持脚４０の下端部４０ｂは、床等の設置面Ｆに接地している。支持脚４０は、上端部４０ａから下端部４０ｂに向かって、傾斜して設けられている。本実施形態において、支持脚４０は、上端部４０ａから下端部４０ｂに向かって、内外方向Ｄ３における外側（天板付什器１の外側）に向かって傾斜している。
【００５２】
図９は、上記天板支持体３に設けられた支持脚４０を示す斜視図である。
図７、図９に示すように、支持脚４０の上端部４０ａは、ブラケット３０の支持脚挿入凹部３３に挿入される接続凸部４１を有している。接続凸部４１は、支持脚挿入凹部３３に補形する断面形状を有している。接続凸部４１は、上下方向に同一断面形状を有して延びている。接続凸部４１は、一対の凸部側面４１ａと、凸部内側面４１ｂと、凸部外側面４１ｃと、上端面４１ｔと、を有する。
【００５３】
一対の凸部側面４１ａは、内外方向Ｄ３に沿って互いに平行に設けられている。
凸部内側面４１ｂは、一対の凸部側面４１ａの一方の端部（内外方向Ｄ３における内側端部）同士を連結するよう形成されている。凸部外側面４１ｃは、一対の凸部側面４１ａの他方の端部（内外方向Ｄ３における外側端部）同士を連結するよう形成されている。凸部外側面４１ｃは、上方から見て、内外方向Ｄ３における外側に凸の円弧状に湾曲している。
上端面４１ｔは、上下方向に直交して形成されている。
【００５４】
接続凸部４１の上端面４１ｔには、複数個所に、第一雌ネジ孔４５が開口している。また、接続凸部４１の凸部内側面４１ｂには、第二雌ネジ孔４６が開口している。
【００５５】
図７に示すように、支持脚４０の接続凸部４１には、支持脚挿入凹部３３に挿入された状態で、ブラケット３０の第一ボルト挿通孔３５を通して、第一支持脚締結ボルト６２が第一雌ネジ孔４５に締結される。また、接続凸部４１には、第二ボルト挿通孔３６を通して、第二支持脚締結ボルト６３が締結される。これにより、支持脚４０の接続凸部４１は、支持脚挿入凹部３３の頂面３３ｅと、内側壁面３３ｂとに突き当たって固定されている。
【００５６】
このように、支持脚４０の上端部４０ａは、上記ブラケット３０を介してフレーム２０の角部２０ｃに接続されている。ブラケット３０は、軸支ボス２７の中心軸Ｃ１周りに回動可能となっている。ブラケット３０が中心軸Ｃ１周りに回動すると、支持脚４０の上端部４０ａの接続凸部４１が挿入される支持脚挿入凹部３３も、中心軸Ｃ１周りに回動する。これにより、ブラケット３０が中心軸Ｃ１周りに回動するのにともなって、フレーム２０の角部２０ｃに対する支持脚４０の位置を、天板２の下面２ｂに沿った面内で変更可能となっている。すなわち、角部２０ｃに対する支持脚４０の位置が変更されることで、角部２０ｃから長手方向Ｄ１及び短手方向Ｄ２におけるブラケット３０及び支持脚４０の突出量が変化する。
【００５７】
このように、軸支ボス２７の中心軸Ｃ１周りでブラケット３０が回動することにより、フレーム２０（角部２０ｃ）に対する支持脚４０の位置を、天板２の下面２ｂに沿った面内で変更可能とする接続位置変更機構６０が構成されている。すなわち、本実施形態では、ブラケット３０（ガイド孔３８、位置決め凹部３９）やジョイント部材２３（軸支ボス２７）、位置決めピン６４等によって接続位置変更機構６０が構成されている。なお、本実施形態では、接続位置変更機構６０により角部２０ｃに対する支持脚４０の位置を決定した後、天板支持体３上に天板２を組み付けることにより、天板付什器１が完成する。
【００５８】
接続位置変更機構６０を備えた天板付什器１においては、天板２のサイズに合わせて、ブラケット３０を軸支ボス２７の中心軸Ｃ１周りに回動させる。
例えば、図６、図１０に示すように、位置決めピン６４を、複数のピン挿通空間３８ｓのうち、中間位置のピン挿通空間３８ｓに挿通させた状態におけるブラケット３０の中心軸Ｃ１周りの位置（向き）を、位置Ｐ１とする。
【００５９】
図１１は、上記ブラケット３０を中心軸Ｌ１周りの一方の側に回転させた状態を示す図６に対応する平面図である。
これに対し、図１１に示すように、位置決めピン６４を、複数のピン挿通空間３８ｓのうち、一方の側のピン挿通空間３８ｓ２に挿通させると、ブラケット３０は、中心軸Ｃ１周りの一方の側に回動した位置Ｐ２にセットされる。
【００６０】
図１２は、上記ブラケット３０を中心軸Ｃ１周りの他方の側に回転させた状態を示す図６に対応する平面図である。
また、図１２に示すように、位置決めピン６４を、複数のピン挿通空間３８ｓのうち、他方の側のピン挿通空間３８ｓ３に挿通させると、ブラケット３０は、中心軸Ｃ１周りの他方の側に回動した位置Ｐ３にセットされる。
【００６１】
図１３は、支持脚４０の位置と、天板２のサイズの一例を示す図１０に対応する平面図である。
図１３に示すように、ブラケット３０が位置Ｐ１の場合に支持される天板２Ａに対し、長手方向Ｄ１の寸法が短く、短手方向Ｄ２の寸法が長い天板２Ｂを支持する場合には、短手方向Ｄ２の一方側に位置するブラケット３０を位置Ｐ２に設定し、短手方向Ｄ２の他方側に位置するブラケット３０を位置Ｐ３に設定する。これにより、ブラケット３０が位置Ｐ１にある場合に比較して、長手方向Ｄ１において内側、かつ短手方向Ｄ２において外側にブラケット３０及び支持脚４０が配置される。
【００６２】
図１４は、支持脚４０の位置と、天板２のサイズの一例を示す図１０に対応する平面図である。
図１４に示すように、天板２Ａに対し、長手方向Ｄ１の寸法が長く、短手方向Ｄ２の寸法が短い天板２Ｃを支持する場合には、短手方向Ｄ２の一方側に位置するブラケット３０を位置Ｐ３に設定し、短手方向Ｄ２の他方側に位置するブラケット３０を位置Ｐ２に設定する。これにより、ブラケット３０が位置Ｐ１にある場合に比較して、長手方向Ｄ１において外側、かつ短手方向Ｄ２において内側にブラケット３０及び支持脚４０が配置される。
【００６３】
このように、本実施形態では、天板２の下面２ｂに沿って設けられた平面視多角形状のフレーム２０の角部２０ｃに、角部２０ｃに対する支持脚４０の位置を、天板２の下面２ｂに沿った面内で変更可能とする接続位置変更機構６０を備えた構成とした。
このような構成によれば、角部２０ｃに対する支持脚４０の上端部４０ａの位置が、接続位置変更機構６０によって天板２の下面２ｂに沿った面内で変更可能である。これにより、フレーム２０のサイズを変更することなく、天板２の水平方向のサイズ等に応じて、支持脚４０の位置を変更することができる。したがって、フレーム２０の種類が増えるのを抑えつつ、天板２の外周部に支持脚４０を有する様々なサイズの天板２を備えた天板付什器１を製作することができる。その結果、天板付什器１の製作コストを抑えることが可能となる。
【００６４】
本実施形態では、接続位置変更機構６０は、ブラケット３０を、フレーム２０の角部２０ｃに対して中心軸Ｃ１周りに回動可能とする構成とした。
このような構成によれば、フレーム２０の角部２０ｃに対してブラケット３０を中心軸Ｃ１周りに回動させることで、角部２０ｃに対する支持脚４０の位置を、天板２の下面２ｂに沿った面内で容易に変更することができる。
【００６５】
本実施形態では、接続位置変更機構６０は、ガイド孔３８と位置決めピン６４、軸支穴３７と位置決め突起２８を係合させることで、ブラケット３０を軸支ボス２７周りの周方向の複数個所に選択的に固定する構成とした。
このような構成によれば、ブラケット３０の周方向の位置を、容易かつ確実に位置決めして固定することができる。
【００６６】
本実施形態では、ブラケット３０を、ブラケット締結ボルト６１で天板２に下方から締結する構成とした。
このような構成によれば、フレーム２０の角部２０ｃに対して中心軸Ｃ１周りに回動可能なブラケット３０を、天板２に固定することで、ブラケット３０を強固に固定することができる。これにより、フレーム２０の角部２０ｃとブラケット３０との連結強度を抑えることができ、フレーム２０の角部２０ｃとブラケット３０との連結構造を簡易なものとすることができる。
【００６７】
本実施形態では、ブラケット３０は、ベース部３１と、ベース部３１から下方に突出する突出部３２と、突出部３２に形成された支持脚挿入凹部３３と、を備える構成とした。
このような構成によれば、天板２の下面２ｂにベース部３１を固定するブラケット３０に、支持脚４０の上端部４０ａが挿入される支持脚挿入凹部３３を有した突出部３２が設けられている。これにより、天板２の下面２ｂには、支持脚４０の上端部４０ａを挿入するための穴等を形成する必要がない。したがって、天板２の加工に手間が掛かるのを抑えることができる。これによっても、天板付什器１の製作コストを抑えることができる。
【００６８】
本実施形態では、フレーム２０は、第一の杆体２１と、第二の杆体２２と、第一の杆体２１と第二の杆体２２とを接続するジョイント部材２３と、を備えている構成とした。
このような構成によれば、第一の杆体２１と第二の杆体２２の長さをそれぞれ変更するのみで、様々なサイズのフレーム２０を製作することができる。このようなフレーム２０の角部２０ｃのジョイント部材２３に接続位置変更機構６０を設けることで、フレーム２０への加工を最小限とすることができるとともに、支持脚４０の位置を様々に変更することができる。これにより、天板２のサイズや形状に応じて、支持脚４０を最適な位置に配置することができる。
また、フレーム２０のジョイント部材２３に対し、ブラケット３０を連結することで、様々なサイズのフレーム２０に対するジョイント部材２３の連結構造を共通化することができる。
【００６９】
（実施形態の変形例）
図１５は、上記ブラケット３０のフレーム２０に対する接続構造の変形例を示す図であり、図８に対応する断面図である。
上記実施形態では、ガイド孔３８に位置決めピン６４を挿入したが、位置決めピン６４に代えて、位置決めボルト６４Ｂを用いることもできる。
図１５に示すように、位置決めボルト（固定部）６４Ｂは、ピン挿通空間３８ｓを通して、ジョイント部材２３の受け面２６に形成された固定雌ネジ孔２９Ｂに締結される。位置決めボルト６４Ｂの頭部６４ｈは、ブラケット３０のベース部３１の第一面３１ｓ上に定着される。天板２の下面２ｂには、逃げ凹部２ｘが形成され、位置決めボルト６４Ｂの頭部６４ｈは、逃げ凹部２ｘ内に収容される。
このような構成においても、位置決めボルト６４Ｂに対し、複数のピン挿通空間３８ｓを選択的に挿入することで、中心軸Ｃ１周りのブラケット３０の向き（長手方向Ｄ１及び短手方向Ｄ２に対する内外方向Ｄ３の向き）が位置決めされる。しかも、頭部６４ｈが逃げ凹部２ｘ内に収容されることで、天板支持体３に対する天板２の水平方向への移動が規制される。これにより、ブラケット３０と天板２とをブラケット締結ボルト６１（図７参照）で締結する前に、天板２を天板支持体３に仮止めできる。その結果、組付効率の向上を図ることができる。
【００７０】
以上、本発明の好ましい実施例を説明したが、本発明はこれら実施例に限定されることはない。本発明の趣旨を逸脱しない範囲で、構成の付加、省略、置換、及びその他の変更が可能である。本発明は上述した説明によって限定されることはなく、添付の特許請求の範囲によってのみ限定される。
例えば、上記実施形態では、支持脚４０を木製としたが、これに限らない。支持脚４０は、金属製等であってもよい。
【００７１】
また、上記実施形態では、支持脚４０を、上端部４０ａから下端部４０ｂに向かって、天板付什器１の外側に傾斜するようにしたが、これに限らない。支持脚４０を、上端部４０ａから下端部４０ｂに向かって、天板付什器１の内側に傾斜するようにしてもよい。さらには、支持脚４０を傾斜させず、上端部４０ａから下端部４０ｂに向かって上下方向に直線状に延びるように設けてもよい。このような場合であっても、支持脚４０の上端部４０ａの接続位置を、天板２の下面２ｂに沿った面内で変更することで、上記実施形態と同様の作用効果を得ることができる。
【００７２】
また、上記実施形態では、ブラケット３０の構成について説明したが、その構成は一例に過ぎない。例えば、接続位置変更機構６０では、ガイド孔３８と位置決めピン６４、軸支穴３７と位置決め突起２８を係合させるようにした。これに対し、ガイド孔３８及び位置決めピン６４と、軸支穴３７及び位置決め突起２８との、いずれか一方のみを備えてもよい。また、ガイド孔３８と位置決めピン６４、軸支穴３７と位置決め突起２８は、ブラケット３０を軸支ボス２７周りの周方向の３個所に選択的に固定するようにしたが、周方向の２個所、または４個所以上に、ブラケット３０の向きを固定できるようにしてもよい。
【００７３】
また、図１６に示すように、ブラケット３０Ｂの内側端部３１ｐから外側端部３１ｑまでの長さを大きくし、軸支ボス２７の中心軸Ｃ１から支持脚挿入凹部３３までの間隔を拡大してもよい。これにより、ブラケット３０を回動させたときの、支持脚４０の上端部４０ａの接続位置の変位量が大きくなる。
【００７４】
また、接続位置変更機構６０で、支持脚４０の上端部４０ａの接続位置を、天板２の下面２ｂに沿った面内で変更可能とする構成は、上記した以外とすることができる。例えば、図１７に示す接続位置変更機構として、ブラケット３０Ｃを、フレーム２０の角部２０ｃに対し、天板２の下面２ｂに沿った面内で、図１７中に矢印Ｍで示すように内外方向Ｄ３でスライド移動させる、スライド機構９０を備えるようにしてもよい。
【００７５】
また、例えば、図１８に示す接続位置変更として、ブラケット３０Ｄに、支持脚挿入凹部３３を複数設け、支持脚４０の上端部４０ａを接続する支持脚挿入凹部３３の位置を選択するようにしてもよい。
その他、本発明の趣旨を逸脱しない範囲で、上述した実施形態における構成要素を周知の構成要素に置き換えることは適宜可能であり、また、上述した各変形例を適宜組み合わせてもよい。
【符号の説明】
【００７６】
１  天板付什器
２，２Ａ，２Ｂ，２Ｃ  天板
３  天板支持体
２０  フレーム
２０ｃ  角部
２１  第一の杆体
２２  第二の杆体
２３  ジョイント部材
２７  軸支ボス（軸支持部）
２８  位置決め突起（固定部）
３０，３０Ｂ，３０Ｃ，３０Ｄ  ブラケット
３１  ベース部
３２  突出部
３３  支持脚挿入凹部
３７  軸支穴
３８  ガイド孔（固定部）
３９  位置決め凹部（固定部）
４０  支持脚
６０  接続位置変更機構
６１  ブラケット締結ボルト（ブラケット締結部材）
６４  位置決めピン（固定部）
６４Ｂ  位置決めボルト（固定部）
Ｃ１  中心軸（軸）
【図１】
2020068889.tif 000003
【図２】
2020068889.tif 000004
【図３】
2020068889.tif 000005
【図４】
2020068889.tif 000006
【図５】
2020068889.tif 000007
【図６】
2020068889.tif 000008
【図７】
2020068889.tif 000009
【図８】
2020068889.tif 000010
【図９】
2020068889.tif 000011
【図１０】
2020068889.tif 000012
【図１１】
2020068889.tif 000013
【図１２】
2020068889.tif 000014
【図１３】
2020068889.tif 000015
【図１４】
2020068889.tif 000016
【図１５】
2020068889.tif 000017
【図１６】
2020068889.tif 000018
【図１７】
2020068889.tif 000019
【図１８】
2020068889.tif 000020